(57)【要約】【課題】既存のディスクドライブとの互換性を保ちつつ、より薄く軽量で、生産性の高い単層１２ｃｍ径ＤＶＤディスクを提供する。【解決手段】片面２層１２ｃｍ径ＤＶＤディスクの製造過程で得られる０．５５ｍｍ以上０．５７ｍｍ未満の厚さの透明基板を用いて、全体の厚さが０．６ｍｍ未満の単層１２ｃｍ径ＤＶＤディスクを実現する。また、この単層光ディスクのクランピィングエリアに、一般的な単層１２ｃｍ径ＤＶＤディスク用の厚さ０．５７ｍｍないし０．６４３ｍｍの透明基板を貼り付けることで、クランピィングエリア部分の厚さをＤＶＤの規格上の厚さ（約１．２ｍｍ）に近い値とすることができ、ディスクドライブでの安定したディスククランプが保証される。さらに、上記の単層光ディスクと約０．９ｍｍ厚のＣＤディスクを貼り合わせることで、全体の厚さをＤＶＤおよびＣＤの規格上の上限厚さ１．５ｍｍ以下に抑えられる。【選択図】図１
2005216404.tif 000002
【特許請求の範囲】
【請求項１】
０．５５ｍｍ以上０．５７ｍｍ未満の厚さを有し、一方面に最小ピット長は０．４４０μｍ、トラックピッチは０．７４μｍの情報ピットが形成された透明基板と、
前記透明基板の前記情報ピットの形成面に設けられた反射層と
を具備することを特徴とする単層光ディスク。
【請求項２】
クランピィングエリアに貼り付けられた、厚さ調整のための基板をさらに有することを特徴とする請求項１に記載の単層光ディスク。
【請求項３】
０．５５ｍｍ以上０．５７ｍｍ未満の厚さを有し、一方面に最小ピット長は０．４４０μｍ、トラックピッチは０．７４μｍの情報ピットが形成された第１の透明基板と、この第１の透明基板の前記情報ピットの形成面に設けられた第１の反射層とを有する単層光ディスクと、
前記単層光ディスクの前記第１の透明基板より厚さが大きくかつ一方面に情報ピットが形成された第２の透明基板と、前記第２の透明基板の前記情報ピットの形成面に設けられた第２の反射層とを有し、前記単層光ディスクと貼り合わされた光ディスクと
を具備することを特徴とする両面光ディスク。
【請求項４】
全体の厚さが１．５ｍｍ未満であることを特徴とする請求項３に記載の両面光ディスク。
【発明の詳細な説明】
【技術分野】
【０００１】
本発明は、ＤＶＤ（Digital Versatile disk）のような単層光ディスクおよび両面光ディスクに関する。
【背景技術】
【０００２】
現在のＤＶＤ（ＤＶＤ−ＲＯＭ）の単層ディスクは、厚さが０．５７ｍｍから０．６４３ｍｍの透明基板の情報ピット形成面に、数μｍないし数十μｍ程度の反射層を設け、さらに反射層側に同じ厚さの透明基板を貼り付けることで、全体の厚さをＣＤ（Compact Disk）の規格上の厚さ（約１．２ｍｍ）と同等としている。これにより、ＣＤとＤＶＤのマルチ再生が可能なディスクドライブにおいて、ＣＤとＤＶＤの両方について、クランプ機構での安定したディスククランプが保証されるようにしている。
【０００３】
また、ＤＶＤ及びCDの規格上の上限厚さは１．５ｍｍであることから、ＣＤとＤＶＤのマルチ再生が可能なディスクドライブのクランプ機構は、厚さ１．５ｍｍのディスクまで支障なく扱えることを保証するように設計されていることが普通である。
【０００４】
ところで、近年、音楽ＣＤとそのライブ映像などを収録したＤＶＤとを貼り合わせて一体化したディスク（以下、「ＣＤ／ＤＶＤ両用ディスク」と呼ぶ。）も存在している。このＣＤ／ＤＶＤ両用ディスクは、ＤＶＤの単層ディスクに、０．９ｍｍ厚まで薄くしたＣＤを貼り合わせたものであり、全体の厚さはディスクドライブにおける通常の保証上限である１．５ｍｍ前後となっている。
【０００５】
このように異種の二枚の光ディスクを貼り合わせて一体化する技術には、たとえば特許文献１などがある。この特許文献１では、ＤＶＤ系の異なる種類のディスク（ＤＶＤ−ＲとＤＶＤ−ＲＷ）を貼り合わせた光ディスクについて記載されている。
【特許文献１】特開２０００−２１５４４５号公報（段落００１９−００２１）
【発明の開示】
【発明が解決しようとする課題】
【０００６】
しかしながら、ＣＤ／ＤＶＤ両用ディスクの場合、ＣＤ／ＤＶＤ各々のディスク厚の製造上のバラツキや、接着層などの厚さを見込むと、全体の厚さがＤＶＤ及びＣＤ規格上の厚さ上限（１．５ｍｍ）を超えてしまうことがあり、製造歩留りが悪くなるという問題があった。
【０００７】
本発明は上記の状況を鑑みて、既存のディスクドライブとの互換性を有し、より薄く、生産性に奏でた単層光ディスクおよび両面光ディスク、さらに特定すれば単層１２ｃｍ径ＤＶＤディスクおよび１２ｃｍ径両面光ディスクを提供しようとするものである。
【課題を解決するための手段】
【０００８】
上記の課題を解決するために、本発明の単層光ディスクは、０．５５ｍｍ以上０．５７ｍｍ未満の厚さを有し、一方面に最小ピット長は０．４４０μｍ、トラックピッチは０．７４μｍの情報ピットが形成された透明基板と、前記透明基板の前記情報ピットの形成面に設けられた反射層とを具備することを特徴とする。
【０００９】
ここで、片面２層の１２ｃｍ径ＤＶＤディスクの製造プロセスで得られる各々の層の基板の厚さは０．５５ｍｍ以上０．５７ｍｍ未満の範囲であり、これを本発明の単層ディスクの透明基板として利用することで、既存のディスクドライブとの互換性を有し、より薄く、生産性に奏でた単層光ディスクが実現される。
【００１０】
本発明の単層光ディスクは、そのクランピィングエリアに貼り付けられた、厚さ調整のための基板をさらに有するものであってよい。クランピィングエリアに厚さ調整のための基板を貼り付けて、その厚さをたとえば１．２ｍｍ程度にすることで、クランプを保証するディスク厚の最小値の制約が厳しいディスクドライブでの安定したディスククランプが保証される、という効果が期待できる。厚さ調整のための基板に、たとえば、従来の単層１２ｃｍ径ＤＶＤディスク用の厚さ０．５７ｍｍないし０．６４３ｍｍの透明基板を使用した場合、クランピィングエリアの部分の厚さはＤＶＤ及びＣＤの規格上の厚さ（約１．２ｍｍ）に近い値となり、ディスクドライブのクランプ機構での安定したディスククランプが保証される。
【００１１】
さらに、本発明の両面光ディスクは、０．５５ｍｍ以上０．５７ｍｍ未満の厚さを有し、一方面に最小ピット長は０．４４０μｍ、トラックピッチは０．７４μｍの情報ピットが形成された第１の透明基板と、この第１の透明基板の前記情報ピットの形成面に設けられた第２の反射層とを有する単層光ディスクと、前記単層光ディスクの前記第１の透明基板より厚さが大きくかつ一方面に情報ピットが形成された第２の透明基板と、前記第２の透明基板の前記情報ピットの形成面に設けられた第２の反射層とを有し、前記単層光ディスクと貼り合わされた光ディスクとを具備するものである。
【００１２】
この発明の両面光ディスクによれば、単層光ディスクに、光ディスクとして、たとえば、約０．９ｍｍ厚のＣＤディスクを貼り合わせることで、全体の厚さを、ＤＶＤ及びＣＤの規格上の上限厚さ１．５ｍｍ以下に抑え易くなり、製造歩留りの高い両用光ディスクを実現することができる。
【発明の効果】
【００１３】
本発明によれば、既存のディスクドライブとの互換性を有し、より薄く、生産性に奏でた単層光ディスクおよび両面光ディスクが実現される。
【発明を実施するための最良の形態】
【００１４】
以下、本発明の実施の形態を図面に基づき説明する。
【００１５】
図１は、本発明の一実施形態にかかる単層光ディスクであるＤＶＤディスクの構成を示す断面図である。
【００１６】
このＤＶＤディスク１０は、光透過性の良いたとえばポリカーボネートなどを素材として使用して射出成形などによって得られた、一方面に情報ピットが形成されたディスク状の透明基板１１と、この透明基板１１の情報ピット記録面にアルミ蒸着などによって形成された反射層１２と、さらにこの反射層１２の上にコーティングされた図示しない保護膜などで構成される。
【００１７】
ここで、透明基板１１の厚さｈ０は０．５５ｍｍ以上０．５７ｍｍ未満の範囲にあり、反射層１２および図示しない保護膜の厚さは、透明基板１１の厚さに対して無視できる程度（数μｍないし数１０μｍ）である。したがって、ＤＶＤディスク１０全体の厚さは０．６ｍｍ未満に抑えられている。なお、図１では反射層１２の幅を透明基板１１の幅に対して実際よりも広い比で示してある。
【００１８】
すなわち、このＤＶＤディスク１０の透明基板１１の厚さｈ０は、これまでの単層のＤＶＤディスクの厚さの下限値よりも最大０．０２ｍｍ程度薄くしてある。
【００１９】
ただし、透明基板１１を薄くした分、ディスク上に集光する光スポットの球面収差が増加する。球面収差とは、光ピックアップのレンズで集光される光線のうち、光軸から遠い周辺部の光線が集光される位置と、光軸近辺の光線が集光される位置が光軸方向に連続的にずれていくような焦点のゆがみであり、この光スポットの球面収差による再生信号等への影響は、ディスク再生のためのレーザーの短波長化に伴って拡大する傾向を呈する。
【００２０】
そこで、次のような透明基板を使用することが好ましい。
【００２１】
現在、ＤＶＤディスクには、単層のものと、多層特に２層のものとが普及している。規格上、単層１２ｃｍ径のＤＶＤディスクの容量は４．７ＧＢであり、最小ピット長は０．４００μｍ、最大ピット長は２．０５４μｍとされている。一方、片面２層の１２ｃｍ径ＤＶＤディスクの場合、個々のディスクの厚さは０．５５ｍｍ以上０．５７ｍｍ未満の範囲とされ、単層のＤＶＤディスクと比べた場合の光スポットの球面収差の増大を見込んで、最小ピット長を０．４４０μｍ、最大ピット長を２．０５４μｍと、単層のディスクのそれよりも大きくしている。トラックピッチは、単層、片面二層ともに、０．７４μｍである。このため片面２層１２ｃｍ径のＤＶＤディスクにおける各々の層の容量は４．２７ＧＢと、１２ｃｍ径単層ＤＶＤディスクよりも小さい。
【００２２】
本実施形態では、上記の片面２層１２ｃｍ径のＤＶＤディスクの製造プロセスで得られる貼り合わせ前の各々の透明基板を、本実施形態のＤＶＤディスク１０の透明基板１１として使用している。この透明基板１１の情報ピットの記録面にアルミ蒸着などによって反射層１２を形成し、さらにこの反射層１２の上に保護膜などをコーティングして、容量４．２７ＧＢの単層１２ｃｍ径ＤＶＤディスク１０を得ている。
【００２３】
これにより、低コストで、生産性に優れ、薄くて軽量な単層１２ｃｍ径のＤＶＤディスク１０が得られる。このようなＤＶＤディスク１０は、特に、郵送、雑誌付録などで大量に配布されるメディアに好適に利用され得る。
【００２４】
次に、図１に示した単層１２ｃｍ径のＤＶＤディスク１０の応用例を説明する。
【００２５】
図２および図３は、図１に示した単層１２ｃｍ径ＤＶＤディスク１０のセンター穴１３の周囲のクランピィングエリア１４のみを、ＤＶＤ規格に適合する厚さ、たとえば約１．２ｍｍとし、その他のエリアである情報記録エリア１５から突出させた単層１２ｃｍ径のＤＶＤディスク２０である。情報記録エリア１５は、図１に示した単層１２ｃｍ径のＤＶＤディスク１０と同様の断面構成を有している。すなわち、一方面に情報ピットが形成されたディスク状の透明基板１１と、この透明基板１１の情報ピット記録面にアルミ蒸着などによって形成された反射層１２と、さらにこの反射層の上にコーティングされた図示しない保護膜などで構成される。
【００２６】
このようにクランピィングエリア１４のみをＤＶＤ規格に適合する厚さにすることで、クランプを保証するディスク厚の最小値の制約が厳しいディスクドライブでの安定したディスククランプが保証される。
【００２７】
このようなＤＶＤディスク２０を得る方法としては、厚さｈ０が０．５５ｍｍ以上０．５７ｍｍ未満の透明基板１１を用いて構成されたＤＶＤディスクの反射層１２側の面のクランピィングエリア１４に、このクランピィングエリア１４に対応する外形に成形された、同じ厚さの透明基板１６もしくは従来の単層ディスクの透明基板（厚さｈ１は０．５７ｍｍないし０．６４３ｍｍ）１６を接着層（図示せず）を挟んで貼り付けるとった方法が挙げられる。特に、単層１２ｃｍ径ＤＶＤディスク用の厚さ０．５７ｍｍないし０．６４３ｍｍの透明基板を使用した場合、クランピィングエリア１４の部分の厚さはＤＶＤの規格上の厚さ（約１．２ｍｍ）に近い値となり、ディスクドライブのクランプ機構で安定したディスククランプが保証される。
【００２８】
さらに、図４は、図１に示した本実施形態の単層１２ｃｍ径ＤＶＤディスク１０に、これによりも厚さが大きい光ディスク、たとえば厚さｈ２が０．９ｍｍの１２ｃｍ径ＣＤディスク３０を接着層（図示しない）を介して貼り合わせて得られたＣＤ／ＤＶＤ両用ディスク４０である。１２ｃｍ径ＣＤディスク３０は、一方面に情報ピットが形成されたディスク状の透明基板３１と、この透明基板３１の情報ピット記録面にアルミ蒸着などによって形成された反射層３２と、さらにこの反射層３２の上にコーティングされた図示しない保護膜などで構成される。
【００２９】
単層１２ｃｍ径ＤＶＤディスク１０は、厚さｈ０が０．５５ｍｍ以上０．５７ｍｍ未満の範囲の透明基板１１をベースに構成され、全体の厚さは０．６ｍｍ未満に抑えられているので、これと０．９ｍｍ厚の１２ｃｍ径ＣＤディスク３０とを貼り合わせると、接着層の厚さを見込んでも、ディスク全体の厚さＨは、ＤＶＤ及びＣＤの規格上の上限厚さ１．５ｍｍ以下に抑えることができる。したがって、製造歩留りの高いＣＤ／ＤＶＤ両用ディスクを実現することができる。
【００３０】
以上本発明の実施形態を説明したが、本発明は、上述の実施形態にのみ限定されるものではなく、本発明の要旨を逸脱しない範囲内において種々変更を加え得ることは勿論である。
【図面の簡単な説明】
【００３１】
【図１】本発明の一実施形態にかかる単層光ディスクであるＤＶＤディスクの構成を示す断面図である。
【図２】図１の単層１２ｃｍ径ＤＶＤディスクのクランピィングエリアを肉厚にしたＤＶＤディスクを示す平面図である。
【図３】図２のＤＶＤディスクの断面図である。
【図４】図１の単層１２ｃｍ径ＤＶＤディスクと１２ｃｍ径ＣＤディスクとを貼り合わせたＣＤ／ＤＶＤ両用ディスクの断面図である。
【符号の説明】
【００３２】
１０…ＤＶＤディスク、１１…透明基板、１２…反射層、１３…センター穴、１４…クランピィングエリア、１５…情報記録エリア、１６…透明基板、２０…ＤＶＤディスク、３０…ＣＤディスク、４０…ＣＤ／ＤＶＤ両用ディスク
【図１】
2005216404.tif 000003
【図２】
2005216404.tif 000004
【図３】
2005216404.tif 000005
【図４】
2005216404.tif 000006